(57)【要約】【課題】有害と思われる情報が無線通信サービスの利用によるものではなく、放送受信サービスの利用による場合でも、不用意に接続できないようにする、放送受信機能付携帯通信端末、放送受信制御方法及び放送受信制御プログラムを提供する。【解決手段】無線通信手段と、この無線通信手段を使用することによって得られる無線通信サービスに係る機能制限情報を記憶する記憶手段と、放送波を受信する放送波受信手段と、この放送波受信手段の動作制御に関わる情報を前記記憶手段に記憶された機能制限情報と対応付けて動作制御記憶手段に記憶し、記憶した機能制御情報に従って動作を制御する。【選択図】図２
2007180786.tif 000002
【特許請求の範囲】
【請求項１】
放送波を受信する放送波受信手段と、
外部の通信回線網への接続を制限する制限手段と、
この制限手段によって外部の通信回線網への接続が制限されているとき、前記放送波受信手段による受信サービスについても制限するように制御する制御手段と
を備えることを特徴とする放送受信機能付携帯通信端末。
【請求項２】
前記放送波受信手段は、データ放送を受信し、
この受信されたデータ放送内容を表示する表示手段を更に備え、
前記制限手段は、前記放送波受信手段が受信したデータ放送に前記通信回線網への接続情報が含まれているとき、この接続情報の前記表示手段への表示を制限することを特徴とする請求項１に記載の放送受信機能付携帯通信端末。
【請求項３】
前記放送波受信手段は、データ放送を受信し、
前記制限手段は、前記放送波受信手段が受信したデータ放送に前記通信回線網への接続情報が含まれているとき、この接続情報に基づいて情報源にアクセスすることを制限することを特徴とする請求項１に記載の放送受信機能付携帯通信端末。
【請求項４】
前記受信サービスについての制限とは、前記放送波受信手段が受信を行う時間帯についての制限であることを特徴とする請求項１乃至３の何れかに記載の放送受信機能付携帯通信端末。
【請求項５】
前記受信サービスについての制限とは、前記放送波受信手段が受信する放送チャンネルについての制限であることを特徴とする請求項１乃至３の何れかに記載の放送受信機能付携帯通信端末。
【請求項６】
前記受信サービスについての制限とは、前記放送波受信手段が受信する受信セグメントについての制限であることを特徴とする請求項１乃至３の何れかに記載の放送受信機能付携帯通信端末。
【請求項７】
放送波を受信する放送波受信ステップと、
外部の通信回線網への接続を制限する制限ステップと、
この制限ステップにて外部の通信回線網への接続が制限されているとき、前記放送波受信ステップによる受信サービスについても制限するように制御する制御ステップと、
からなることを特徴とする放送受信制御方法。
【請求項８】
コンピュータを、
外部の通信回線網への接続を制限する制限手段、
この制限手段によって外部の通信回線網への接続が制限されているとき、放送波受信手段による受信サービスについても制限するように制御する制御手段、
として機能させることを特徴とする放送受信制御プログラム。
【発明の詳細な説明】
【技術分野】
【０００１】
本発明は、放送受信機能付携帯通信端末、放送受信制御方法及び放送受信制御プログラムに関する。
【背景技術】
【０００２】
近年、地上波デジタルテレビチューナーを搭載した携帯電話が登場し始めている。一方、セキュリティ上の配慮から、携帯電話を子供に所有させることがある。
【０００３】
また、子供が所有することを想定し、不用意な通信料金の発生を防止したり、成人向けのインターネットサイトに不用意に接続できないよう予め機能制限をかける携帯電話も普及しつつある。
【０００４】
例えば、携帯電話にブックマークテーブルとパスワード登録領域とを備えさせ、ブックマークへの登録、利用については、親権者がパスワードを入力することを条件する技術が考えられている。（特許文献１参照）。
【特許文献１】特開２００３−１８６８４２号公報（第６頁、図２、および、図３）
【発明の開示】
【発明が解決しようとする課題】
【０００５】
従来の機能制限は通信回線を通じた各種サービスやサービス使用料に関わるものである。しかしながら、無線通信サービスについての機能制限をかけていても、放送サービスによって未成年にとって有害な放送を受信してしまったり、データが多重化されている放送波の受信の場合、このデータ領域に含まれる電話番号やＵＲＬなどに不用意にアクセスし、膨大な通信料を請求されるケースがある。つまり、有害と思われるデータの入手先が無線通信サービスではなく放送受信サービスであった場合には、これを防ぐ手段については考えられていなかった。
【０００６】
本発明は、このような問題点に鑑みてなされたものであり、有害と思われる情報が無線通信サービスの利用によるものではなく、放送受信サービスの利用による場合でも、不用意に接続できないできないようにする、放送受信機能付携帯通信端末、放送受信制御方法及び放送受信制御プログラムを提供することを目的とする。
【課題を解決するための手段】
【０００７】
上記課題を解決するために、請求項１に記載の発明は、放送波を受信する放送波受信手段と、外部の通信回線網への接続を制限する制限手段と、この制限手段によって外部の通信回線網への接続が制限されているとき、前記放送波受信手段による受信サービスについても制限するように制御する制御手段とを備えることを特徴としている。
【０００８】
請求項２に記載の発明は、請求項１に記載の放送受信機能付携帯通信端末において、前記放送波受信手段は、データ放送を受信し、この受信されたデータ放送内容を表示する表示手段を更に備え、前記制限手段は、前記放送波受信手段が受信したデータ放送に前記通信回線網への接続情報が含まれているとき、この接続情報の前記表示手段への表示を制限することを特徴としている。
【０００９】
請求項３に記載の発明は、請求項１に記載の放送受信機能付携帯通信端末において、前記放送波受信手段は、データ放送を受信し、前記制限手段は、前記放送波受信手段が受信したデータ放送に前記通信回線網への接続情報が含まれているとき、この接続情報に基づいて情報源にアクセスすることを制限することを特徴としている。
【００１０】
請求項４に記載の発明は、請求項１乃至３の何れかに記載の放送受信機能付携帯通信端末において、前記受信サービスについての制限とは、前記放送波受信手段が受信を行う時間帯についての制限であることを特徴としている。
【００１１】
請求項５に記載の発明は、請求項１乃至３の何れかに記載の放送受信機能付携帯通信端末において、前記受信サービスについての制限とは、前記放送波受信手段が受信する放送チャンネルについての制限であることを特徴としている。
【００１２】
請求項６に記載の発明は、請求項１乃至３の何れかに記載の放送受信機能付携帯通信端末において、前記受信サービスについての制限とは、前記放送波受信手段が受信する受信セグメントについての制限であることを特徴としている。
【００１３】
請求項７に記載の発明は、放送波を受信する放送波受信ステップと、外部の通信回線網への接続を制限する制限ステップと、この制限ステップにて外部の通信回線網への接続が制限されているとき、前記放送波受信ステップによる受信サービスについても制限するように制御する制御ステップとからなることを特徴としている。
【００１４】
請求項８に記載の発明は、コンピュータを、外部の通信回線網への接続を制限する制限手段、この制限手段によって外部の通信回線網への接続が制限されているとき、放送波受信手段による受信サービスについても制限するように制御する制御手段として機能させることを特徴としている。
【発明の効果】
【００１５】
請求項１、７及び８に記載の発明によれば、外部の通信回線網への接続を制限しているときは、受信サービスについても制限するようにしたので、例えば、この発明を適用した放送受信機能付携帯通信端末を未成年者が使用する場合であっても、有害な放送を受信だけでなく、通信回線網を経由して不用意に有害な情報源に接続することを制限することができる。
【００１６】
請求項２に記載の発明によれば、請求項１に記載の発明に加え、受信したデータ放送に通信サービスで利用可能な情報が含まれていても、通信サービスについての利用が制限されているときは、この情報の表示を制限するので、不用意にアクセスできないようにすることができる。
【００１７】
また、請求項３に記載の発明によれば、請求項１に記載の発明に加え、受信したデータ放送に通信サービスで利用可能な情報が含まれていても、通信サービスについての利用が制限されているときは、この情報に基づいて通信サービスを経由して、情報源にアクセスすることを制限するので、不用意にアクセスできないようにすることができる。
【００１８】
請求項４乃至６に記載の発明によれば、請求項１乃至３の何れか一項に記載の発明に加え、放送サービスにおける受信時間帯、チャンネル、受信セグメントについての制限を行うので、放送受信に関わる受信時間帯、チャンネル、受信セグメントについて無線通信サービスの利用制限に対応させることができる。
【発明を実施するための最良の形態】
【００１９】
以下、図を参照して、本実施形態について詳細に説明する。
【００２０】
まず、図１に、本実施形態に係る放送受信機能付携帯通信端末（以下、携帯電話）１の蓋を開いた状態と閉じた状態の正面図に相当する外観図を示す。図１（a）は、携帯電話１の蓋を開いた状態を示し、図１（ｂ）は、携帯電話の蓋を閉じた状態（蓋側）を示し、図１（ｃ）は、携帯電話１の蓋を閉じた状態（裏面側）を示している。
【００２１】
図１に示すように、蓋部２は、本体３に対し第１ヒンジ部１００を回転軸として開閉可能（矢印α）に配置されているほか、第２ヒンジ部１２を回転軸として回転可能（矢印β）になっている。蓋部２は、第１スピーカ５、表示部６、データ通信用の内蔵アンテナ（図示省略）を内蔵している。第１スピーカ５は、ダイナミックスピーカであり、蓋部２の内面に配置されている。
【００２２】
第１ヒンジ部１００は、蓋部２に連繋されて当該蓋部２と一体的に回転する可動部１０１と、本体部３側に固定されるとともに可動部１０１の両側に設けられた左右一対の固定部１０２、１０３とで構成されている。
【００２３】
また、本体３は、キー入力部８とマイク１０を備える。キー入力部８は、決定キー８１、カーソルキー８２、ファンクションキー８３、８４及びテンキー部８５を備え、各種キーの押下操作に対応する操作信号を第１制御部２０又は第２制御部２２へ出力する。また、本体部３の背面には、撮影するための撮像レンズ１７及び着信音やアラーム、メロディなどを再生するためのスピーカ７Ｒ、７Ｌが配置されている。
【００２４】
次に、図２に携帯電話１の回路構成を示すブロック図を示す。受信信号処理部１８は、後述の第２制御部２２からの制御信号に基づいて、アンテナ１６をチューニングし、且つ、ＴＶチューナー又は地上波デジタルチューナー９を起動させる等の処理を行う。一方、通信信号処理部１９は、アンテナ１１を介した基地局（図示省略）とのネゴシエーション（端末認証、回線接続）を開始し、通信帯域幅を一時的に占有する処理を行う。なお、アンテナ１１により受信された無線信号より自機宛に符号変調された信号を抽出して、通信データ処理部２０２に出力する。
【００２５】
通信信号処理部１９は、待ち受け状態においても、データ通信モードにおいても、常に電源供給されており、通信データ処理部２０２からのデジタル変調信号（送信音声データ、メールデータ、ネットワーク接続情報を含むパケットデータ）を、符号変調してアンテナ１１より出力する。また、一方で、基地局より送信され、アンテナ１１により受信された無線信号より自機宛に符号変調された信号を抽出し、通信データ処理部２０２に出力する。
【００２６】
アナログＴＶ放送や地上波デジタルＴＶ放送を受信するＴＶチューナー又は地上波デジタルチューナー９は、アンテナ１６により入力された信号を映像信号に変換して、第１制御部２０へ出力する。また、ＴＶチューナー又は地上波デジタルチューナー９は、第２制御部２２からの指示に基づいて指定されたチャンネルのＴＶ放送をアンテナ１６を介して受信する。本実施形態において第１制御部２０は、携帯電話１のモードがキッズモードに設定されている場合は、キッズモード制限メモリ２９に予め記憶された利用制限情報に基づいて放送を受信するか否かを判断し、その判断結果に基づいた動作を実行する（後述）。
【００２７】
第１制御部２０は、基地局、及び、その後段にあたるサービス事業者や公開情報通信網を介して接続される任意のコンピュータ上にある情報資源との接続制御を中心とした処理を行う。また、第１制御部２０は、スイッチ回路２０１、通信データ処理部２０２、システムＲＯＭ（Read Only Memory）２０３、インターフェース処理部２０４、音声処理部２０５により構成される。
【００２８】
通信データ処理部２０２は、音声処理部２０５より出力されたＣＥＬＰ（Code-Excited Linear Prediction）系デジタル音声データをＰＳＫ（Phase Shift Keying）系方式に対応する信号に変調、及び、拡散符号に変調するとともに、受信信号処理部１８、通信信号処理部１９にて受信される符号変調された信号をＰＳＫ系方式、及び／又は、ＱＡＭ（Quadrature Amplitude Modulation）系方式のデジタル信号に復号する処理を行う。
【００２９】
システムＲＯＭ２０３は、通信制御のための通信プログラムや携帯電話１の各機能部を統括的に制御するための制御プログラムを格納する。
【００３０】
インターフェース処理部２０４は、携帯電話１の動作のうち着信割り込み時において、第１制御部２０と第２制御部２２の並行処理を行うが、これらの処理に伴うバスへのアドレス／データの割り込み処理を実行する。
【００３１】
音声処理部２０５は、ＣＥＬＰ系の音声変調／復調システムと、ＭＰＥＧ（Moving Picture Experts Group）オーディオ系の音声復調システムとを備え、通話状態においては、音声処理部２０５から出力されるアナログ音声を第１スピーカ５から出力させる。
【００３２】
本実施形態における携帯電話１は、動作モードとして通常モード及びキッズモードを有して構成される。通常モードは、メールの送受信、通話、ＴＶ番組の受信、視聴等、携帯電話１が有する機能の全てが使用可能な動作モードである。一方、キッズモードとは、例えば、親の携帯電話１を子供（未成年）が使用する場合などに設定される動作モードであり、携帯電話１によるＴＶ視聴時間の制限や、メールの送受信及び通話可能な宛先の制限を行う。
【００３３】
例えば、ＴＶ視聴時間の制限方法としては、予め視聴可能時刻を設定する方法がある。ユーザがＴＶ視聴を所望し、携帯電話１を操作すると、第１制御部２０はその操作信号に基づいてＴＶチューナ又は地上波デジタルＴＶチューナ９を起動させる。そして、携帯電話１の設定がキッズモードである場合には、現在時刻を取得し、予め設定された視聴可能時刻と比較することにより、現在時刻が制限時刻範囲内であるか否かを判断する。この判断の結果、現在時刻が制限時刻範囲内であった場合は、ＴＶ視聴が不可である旨を表示部９に表示させてユーザに通知する。
【００３４】
メモリカードスロット３３０には、記憶媒体３３１が装着される。この記憶媒体３３１には、上述の映像記録装置１５４にて記録されたＭＰＥＧ−２ＴＳ方式の映像コンテンツ及び放送内容を変換されたＡＳＦ形式の動画ファイルや、当該携帯電話１で撮影されたＭＰＥＧ−４形式の動画ファイル等が混在して格納されている。
【００３５】
また、上述した記録媒体３３１の他に、キッズモード制限メモリ２９を備える。このキッズモード制限メモリ２９は、不揮発性の半導体メモリ等で構成されており、固定的に設けられるもの若しくは着脱自在に装着可能なものである。キッズモード制限メモリ２９は、キッズモード制限テーブルを格納する（図３参照）。携帯電話１をキッズモードに設定した場合、複数の機能が制限されることになり、キッズモード制限テーブルには、これらの制限内容を表す利用制限情報や機能制限情報が記憶される。第１制御部２０は、このテーブルに設定された制限情報に基づいて、キッズモードにおける携帯電話１の動作制御を実行する。
【００３６】
ＲＡＭ（Random Access Memory）２４は、第１制御部２０及び第２制御部２２によって実行される各種プログラムの実行時に生じる処理結果等のデータをワークエリアに一時的に記憶する。例えば、ＲＡＭ２４は、データ通信処理や、音声通信において必要とされる各種データを記憶する。また、記憶媒体３３１に記憶された制限情報に基づいて受信した映像コンテンツを一時的に記憶する。
【００３７】
プログラムＲＯＭ２３は、携帯電話１の動作に必要なプログラムの事項に係るデータを格納する。例えば、携帯電話１の設定がキッズモードである場合には、ＴＶ視聴可能設定時間外にＴＶ視聴要求が行われると、視聴不可能に制御するためのプログラムを格納する。また、通話及び／又はメールの送受信について制限がかけられた宛先が選択された場合には、当該宛先への通話及び／又はメールの送受信が行えないように制御するためのプログラムを格納する。これらのプログラムは、書き換える必要のないプログラムや、書き換えてはいけないプログラムである。なお、格納するプログラムは上述した処理を実行するためのプログラムに限定されない。
【００３８】
圧縮・伸張処理部２５は、ＭＰＥＧ−４、及び、ＡＳＦ方式に対応し、カメラモードにて撮影された静止画／動画を圧縮処理するとともに、ムービー再生モードにおけるデータ通信モードによりダウンロードしたムービーファイルや、カメラモードにおける静止画／動画、ＳＤカード等の記憶媒体３３１に保存されているＡＳＦ形式の動画ファイルを伸張処理する。
【００３９】
第２制御部２２は、ムービー再生モードにおけるデータ通信モードによりダウンロードしたムービーファイルや、カメラモードにおける静止画／動画の再生表示処理及びカメラモードにおける撮影処理全般の制御を行う。従って、第２制御部２２も第１制御部２０と同様に、記憶媒体に記憶された制限情報に基づいて動作を実行する。例えば、閲覧が制限されたムービーファイルが選択されると、第２制御部２２は、その選択信号に基づいて選択されたムービーファイルの起動を行わない制御を実行するとともに、選択されたファイルが閲覧不可能である旨を表示部６に表示する。
【００４０】
スイッチ２１は、第２制御部２２からの制御により、ムービー再生モードにおいては、ムービーファイルに格納されるオーディオデータがステレオ対応である場合、第２スピーカ７Ｒ、第３スピーカ７Ｌ、報知ドライバ２６によっても駆動され、着信報知音などを再生出力する。
【００４１】
スイッチ処理部２７は、キー入力部８、第１サイドスイッチ９０、第２サイドスイッチ９１、シャッターキー９２からの操作が行われると、その操作信号に伴って、第１制御部２０、第２制御部２２へ制御信号を出力する。
【００４２】
表示部６は、ＬＣＤ（Liquid Crystal Display）等により構成され、表示ドライバ６１の制御に基づいて各種画面を表示させる。また、表示ドライバ６１は、表示バッファ６２を有し、データをやり取りする際に、処理速度や転送速度の差を補うために、表示バッファ６２にデータを一時的に保存する。
【００４３】
さらに、携帯電話１は被写体を写し出すためのカメラレンズ１７を備え、このカメラレンズ１７の後段には、ＣＣＤ（Charge Coupled Devices）、もしくはＣＭＯＳ（Complementary Metal Oxide Semiconductor）等のイメージセンサと光学ズーム用のステップモータからなる撮像デバイス１７１と、この撮像デバイス１７１で撮り込まれたアナログ信号をデジタル信号に変換し、イメージデータを生成するためのＤＳＰ（Digital Signal Processor）１７２とが備えられている。
【００４４】
クレイドル用コネクタ３２は、クレイドル、つまり充電台を兼ねた設置台に設置した際に、設置台からの電力によりバッテリー（図示省略）を充電するためのものであり、コネクタインターフェース３１を介してバスに接続される。
【００４５】
番組表記憶部２８は、番組表提供サービス会社から配信される放送予定の番組表データ（例えば、ＥＰＧデータ）を記憶する。
【００４６】
次に、図３に、キッズモード制限テーブルの一例を示し、図４（ａ）に、各制限テーブルの一例を示す。図３に示すように、キッズモード制限テーブルは、アンテナ１１によって得られる無線通信サービスに係る機能制限情報及び、受信信号処理部１８における放送サービスに係る利用制限情報を記憶する。具体的には、キッズモード制限テーブルは、通話、メールの送信／受信、ＴＶの視聴等、複数の機能における制限情報の設定を記憶する。メール送信／受信制限設定では、最大パケット量が設定され、送信及び／又は受信を制限する宛先が登録される。同様にして、通話制限設定では、最大使用量が設定され、通話を制限する宛先が登録される。なお、メール送信／受信制限及び通話制限は、図３のようにそれぞれ登録することにより設定するとしてもよいし、図４（ａ）に示すアドレス帳テーブルを格納するとしてもよい。
【００４７】
図４（ａ）に示すアドレス帳テーブルは、宛先毎の電話番号とメールアドレスとを対応付けて格納するデータテーブルである。また、電話番号とメールアドレスそれぞれには、通話、メールの受信／送信が制限されているか否かを示すフラグが対応づけて記憶される。例えば、図４（ａ）の宛先が「山田太郎」は、電話番号、メールアドレスともにフラグ“１”が設定されており、これは、キッズモード設定時には、当該宛先への通話、メールの受信及び送信共に制限（禁止）される。第１制御部２０は、スイッチ処理部からある特定の宛先が選択された旨を受信すると、当該宛先のテーブルに設定されたフラグに基づいて、通信信号処理部１９の動作を制御する。なお、機能制限情報テーブルの設定は、通常モードにてユーザが設定可能であり、例えば、パスワードによりユーザ認証を行うことにより、設定権限のある人以外の設定変更を禁止することとしてもよい。これにより、例えば、親の携帯電話を使用して子供が勝手に通話をしたり、メールを送受信することに制限をかけることが可能となる。
【００４８】
また、図３に示すように、ＴＶ視聴制限の設定は、視聴可能時間帯を設定することにより行われる。例えば、視聴可能時間帯が１５時〜１８時に設定されている場合、当該時間帯のみ視聴が可能であるため、１８時を過ぎると、視聴しているＴＶ放送が途中であったとしても、第１制御部２０は受信信号処理部１８の動作を制御することにより視聴を中断させる。なお、ユーザが視聴可能時間帯の設定を行うことができる。また、ＴＶ視聴制限は視聴可能時間帯を設定することにより実行させるとしたが、これに限定されない。例えば、視聴を制限するチャンネルを設定するとしてもよい。さらに、地上波デジタル放送の受信においては、視聴を制限するジャンルの指定、また、それらの組み合わせを選択指定することにより設定するとしてもよい。
【００４９】
また、地上波デジタル放送における利用制限として、データ放送セグメントに対するユーザ利用に制限をかけることとしてもよい。具体的にデータ放送では、その受信したセグメント中に電話番号情報や、ＵＲＬが含まれている可能性があるため、これらの電話番号やＵＲＬに対するユーザのアクセスを制限することにより危険なサイトへの接続を防止することが可能となる（変形例、参照。）。
【００５０】
図４（ｂ）に、キッズモード制限メモリ２９が格納するテーブルの一例を示す。図に示すように、キッズモード制限メモリ２９には、キッズモード制限テーブルの他に、制限内容についての設定一覧テーブルが格納されている。例えば、上述したアドレス帳テーブルに、フラグが設定されている場合、つまり、制限が設定された宛先がある場合には、その旨を記憶し、当該宛先が選択された場合には、対応づけられたフラグに基づいた処理が行われる。また、ＴＶの視聴制限が設定されている場合には、図に示すように、例えば、視聴可能な時間帯を記憶する。
【００５１】
図５に、キッズモード設定中に表示される画面の一例を示す。ＴＶを視聴可能な時刻が、図５（ａ）に示すように設定されている場合に、例えば、ユーザが１９時３０分にＴＶを視聴する場合（図５（ｂ））、当該時間帯は、視聴可能な時間として設定されている時間帯であるため、通常通り視聴することが可能である。ところが、２３時は、視聴可能時刻の時間外であるため、表示部６には、図５（ｃ）に示すようにＴＶ視聴ができない旨が表示される。つまり、視聴可能終了時刻である２２時を過ぎると、第１制御部２０は、プログラムＲＯＭ２３に格納されたプログラムに従って、視聴不可能になるよう動作処理を実行する。
【００５２】
図６のフローチャートを参照して、第１制御部２０により実行されるＴＶ視聴制限処理について説明する。
【００５３】
まず、携帯電話１にてＴＶを視聴する場合には、ＴＶアプリを起動する（ステップＳ１）。そして、携帯電話１の動作モードが通常モードか否かを判定する（ステップＳ２）。
【００５４】
ステップＳ２において、携帯電話１の動作モードが通常モードであると判定すると（ステップＳ２：ＹＥＳ）、ＴＶチューナの電源をＯＮにし（ステップＳ５）、ＴＶ放送を表示する。
【００５５】
ステップＳ２において、携帯電話１の動作モードが通常モードではないと判定すると（ステップＳ２：ＮＯ）、動作モードがキッズモードであると判断し、現在時刻を取得する（ステップＳ３）。
【００５６】
そして、その現在時刻と予め設定された視聴可能時刻とを比較することにより、取得した現在時刻が視聴可能な時間帯内であるか否かを判定する（ステップＳ４）。
【００５７】
第１制御部２０は、取得した現在時刻が視聴可能な時間帯内であると判定すると（ステップＳ４：ＹＥＳ）、ＴＶチューナーの電源をＯＮにし（ステップＳ５）、ＴＶ放送を表示する。
【００５８】
また、ステップＳ４において、取得した現在時刻が視聴可能な時間帯内ではないと判定すると（ステップＳ４：ＮＯ）、ＴＶチューナーの電源はＯＮにせず、処理を終了する。
【００５９】
以上のように、携帯電話１に通常モードとキッズモードの２種類の動作モードを設け、その動作モードを切り替えることによって、多くのトラブルを回避できる。例えば、親の携帯電話１を子供が所有する場合、キッズモードに切り替えることにより、通話、メール送受信可能な宛先を制限できるとともに、ＴＶ視聴が可能な時間帯の設定が可能であるため、子供が深夜までＴＶを視聴することを回避することが可能となる。また、キッズモードでは、ＴＶ視聴可能時間帯の設定の他に、視聴可能なチャンネルの選択設定、ジャンルの選択設定等を行うことにより、子供にふさわしくないＴＶ番組の視聴制限を実現でき、安心して親は自分の携帯電話１を子供に使用させることが可能となる。
【００６０】
なお、本実施形態に係る携帯電話１では、通常モードとキッズモードを備える構成としたが、これに限定されない。例えば、個人モードと法人モードを備える構成としても同様の効果を得ることが可能となる。
【００６１】
〔変形例１〕
次に、携帯電話１の変形例１について説明する。図７（ａ）に変形例１におけるキッズモード制限メモリ２９が格納するテーブルの一例を示す。図７（ａ）に示すように、キッズ制限メモリ２９には、キッズモード制限テーブルの他に、制限内容についての設定一覧テーブルが格納され、具体的には、受信を禁止するＴＶチャンネルが記憶される。例えば、図に示すテーブルでは、チャンネル１６、１８、３２の受信を禁止する旨の設定が記憶されている。
【００６２】
そして、この受信を禁止する旨の設定を記憶する受信チャンネルテーブルの一例を図７（ｂ）に示す。この受信チャンネルテーブルはＲＡＭ２４に記憶され、ＴＶチューナ起動時には、受信チャンネルテーブルの設定に基づいて動作制御が行われる。この設定は、図に示すように、受信チャンネルテーブルに保存されるチャンネルデータのうち、図７（ａ）において受信が禁止されているチャンネルについては、キッズモード時には選局を禁止するようにフラグ“０”をセットする。
【００６３】
次に、図８のフローチャートを参照して、携帯電話１により実行される処理について説明する。まず、ユーザ操作によりＴＶ視聴が選択されると、ＴＶチューナーを起動して（ステップＳ１１）、ユーザにより選択されたチャンネルにチューニングして、そのチャンネルのＴＶ放送を受信する（ステップＳ１２）。そして、受信したＴＶ放送を表示部６に表示させ（ステップＳ１３）、そのＴＶ放送の表示中に、視聴制限を行うチャンネルを設定するチャンネル設定操作を検出したか否かを判定する（ステップＳ１４）。
【００６４】
チャンネル設定操作を検出したと判定すると（ステップＳ１４；ＹＥＳ）、当該チャンネル設定操作において選択されたチャンネルのチャンネルサーチを実行し（ステップＳ１５）、選択されたチャンネルのうち受信可能なチャンネルをテーブル化する（ステップＳ１６）。そして、現在の動作モードがキッズモードであるか否かを判定し（ステップＳ１７）、キッズモードではないと判定すると（ステップＳ１７；ＮＯ）、受信可能なチャンネルのテーブルを保持した状態で処理を終了する（ステップＳ２０）。
【００６５】
また、ステップＳ１７において、キッズモードであると判定すると（ステップＳ１７；ＹＥＳ）、図７（ｂ）に示す制限テーブルとの照合を実行する（ステップＳ１８）。そして、制限テーブルとの照合の結果、一致するチャンネルがあった場合はそのチャンネルにフラグ“０”をセットすることにより当該チャンネルの選局を不可に設定し（ステップＳ１９）、処理を終了する。
【００６６】
以上のように、変形例１によれば、チャンネル設定操作を行うことにより、受信可能なチャンネルのうち、所望のチャンネルの視聴を制限するように設定ができる。
【００６７】
〔変形例２〕
次に、携帯電話１の変形例２について説明する。図９（ａ）に、変形例２に係る携帯電話１のキッズモード制限メモリ２９が格納するテーブルの一例を示す。図に示すように、変形例１に係る携帯電話１のキッズモード制限メモリ２９には、制限内容についての設定一覧テーブルが格納されている。
【００６８】
変形例２に係る携帯電話１では、データ放送で送られる文字にフォーカスが当たり、発信、発呼を禁止する設定とする。この設定には２種類の方法があり、第１には多重化されて送信されてきたデータ放送領域について、それを表示するためのプログラムであるＢＭＬブラウザにより電話番号又はＵＲＬに相当する文字列に対してカスレまたはハッチング等の処理をすることにより表示不可能とする方法である。
【００６９】
第２には、ＢＭＬブラウザで電話番号又はＵＲＬに相当する文字列が表示され、カーソルキー８２によるフォーカス選択操作や、決定キー８１でフォーカスされた位置へのアクセス等のユーザによる発呼操作を検出すると、表示部に警告を表示するという方法である。
【００７０】
まず、第１の方法について、図９（ｂ）のフローチャート及び図１０を参照し、動作モードがキッズモードである場合の処理内容を説明する。
【００７１】
先ず、ユーザ操作によりＴＶ視聴が選択されると、ＴＶチューナーを起動し（ステップＳ２１）、その選択されたチャンネルのチューニングを行ってＴＶ放送を受信して（ステップＳ２２）、その受信したＴＶ放送を表示部６に表示させる（ステップＳ２３）。
【００７２】
そして、ＢＭＬブラウザ起動指示を検出したか否かを判定し（ステップＳ２４）、検出しなかったと判定すると（ステップＳ２４；ＮＯ）、ステップＳ２３に戻り、再度、ステップＳ２３、Ｓ２４の処理を繰り返す。
【００７３】
一方、ステップＳ２４において、ＢＭＬブラウザ起動指示を検出したと判定すると（ステップＳ２４；ＹＥＳ）、当該ＢＭＬブラウザに対応するデータ放送を表示する（ステップＳ２５）。次いで、当該ＢＭＬに対応するデータ放送を表示すると、表示したデータにＵＲＬ又は電話番号が有るか否かを判定する（ステップＳ２６）。
【００７４】
表示したデータにＵＲＬ又は電話番号があると判定した場合（ステップＳ２６；ＹＥＳ）、そのＵＲＬ又は電話番号が表示されている箇所を、図１０に示すように、カスレ又はハッチング等を施して表示する（ステップＳ２７）。
【００７５】
次に、第２の方法について、図１１（ａ）のフローチャート及び図１１（ｂ）を参照し、動作モードがキッズモードである場合の携帯電話１の処理内容を説明する。
【００７６】
先ず、ユーザ操作によりＴＶ視聴が選択されると、ＴＶチューナーを起動し（ステップＳ３１）、ユーザにより選択されたチャンネルのＴＶ放送を受信して（ステップＳ３２）、そのＴＶ放送を表示部６にさせる（ステップＳ３３）。
【００７７】
そして、ＢＭＬブラウザ起動指示を検出したか否かを判定し（ステップＳ３４）、検出したと判定すると（ステップＳ３４；ＹＥＳ）、当該ＢＭＬブラウザに対応するデータ放送を表示する（ステップＳ３５）。次いで、当該ＢＭＬブラウザに対応するデータ放送を表示すると、データ上の電話番号又はＵＲＬへのアクセス指示を検出したか否かを判定する（ステップＳ３６）。
【００７８】
ステップＳ３６において、データ上の電話番号又はＵＲＬへのアクセス指示を検出したと判定すると（ステップＳ３６；ＹＥＳ）、携帯電話１の表示画面に警告を図１１（ｂ）のように表示する（ステップＳ３７）。このため、ユーザが予め発信や発呼が禁止されたＵＲＬへのアクセスを指示すると、警告表示６５が表示され、ユーザは、当該ＵＲＬへのアクセスが不可能であることを確認できる。
【００７９】
以上のように、多重化されて送信されてきたデータ放送領域に、電話番号またはＵＲＬに相当する文字列があった場合には、当該文字列に対して、カスレまたはハッチング等の処理を施すことにより、表示不可能にすることが可能となり、子供がいたずらで表示された電話番号に電話をかけたり、サイトの閲覧をするなどの行為を防止することが可能となる。
【００８０】
また、表示はするものの、当該電話番号への発信や、当該ＵＲＬへのアクセスをするたえの操作を行った場合に、警告を表示させることにより、発信・発呼を制限するとともに、子供への注意を施すことが可能となる。
【００８１】
〔変形例３〕
次に、変形例３に係る携帯電話１について説明する。変形例３に係る携帯電話１は、データ放送中のサイト又は電話番号への閲覧要求又は発信指示がユーザにより為された場合には、アクセス先をメール内容に転記し、予め設定された宛先にメールを送信する。
【００８２】
図１２（ａ）に、変形例３に係る携帯電話１のキッズモード制限メモリ２９が格納するテーブルの一例を示す。図に示すように、ＴＶチューナーについては、ＵＲＬへのアクセスやＴＶデータ放送中の電話番号への発信が実行された場合には、その発信先を示す情報を送信する送信先のアドレスが予め記憶されている。
【００８３】
次に、図１２（ｂ）のフローチャートを参照して、変形例３に係る携帯電話１により実行される処理について説明する。
【００８４】
まず、ユーザ操作によりＴＶ閲覧が選択されると、ＴＶチューナーを起動し（ステップＳ４１）、ユーザにより選択されたチャンネルのＴＶ放送を受信して（ステップＳ４２）、そのＴＶ放送を表示部６に表示させる（ステップＳ４３）。
【００８５】
そして、ＢＭＬブラウザ起動指示を検出すると（ステップＳ４４；ＹＥＳ）、当該ＢＭＬブラウザに対応するデータ放送を表示して（ステップＳ４５）、データ上の電話番号又はＵＲＬへのアクセス指示を検出したか否かを判定する（ステップＳ４６）。
【００８６】
ステップＳ４６において、データ上の電話番号またはＵＲＬへのアクセス指示を検出したと判定すると（ステップＳ４６；ＹＥＳ）、アクセス先をメール内容に転記し、予め設定された送信先にメールを送信する（ステップＳ４７）。
【００８７】
以上のように、変形例３において、当該携帯電話１を操作することによりＵＲＬからのアクセスや、電話番号への発信が行われると、予め設定された送信先へ送信することにより、その送信先では携帯電話１がどこのＵＲＬにアクセスしたか、電話番号に発信したかを確認できる。
【００８８】
このため、例えば、子供がどのサイトを閲覧し、どこへ電話をかけた等の詳細情報を得ることが可能となり、子供が好ましくないサイトへアクセスした場合など、厳重に注意することが可能となる。
【図面の簡単な説明】
【００８９】
【図１】本実施形態に係る携帯電話１の蓋を開いた状態と閉じた状態の正面図に相当する外観図である。
【図２】携帯電話１の回路構成を示すブロック図である。
【図３】携帯電話１が記憶するキッズモード制限テーブルの一例である。
【図４】携帯電話１が記憶する通話、メール送受信制限テーブルの一例である。
【図５】携帯電話１の表示部６に表示される表示画面の一例を示すずである。
【図６】携帯電話１で実行される処理を示すフローチャートである。
【図７】変形例１に係る携帯電話１が格納するデータテーブルの一例を示す図である。
【図８】変形例１に係る携帯電話１で実行される処理を示すフローチャートである。
【図９】（ａ）は、変形例２に係る携帯電話１が格納するデータテーブルの一例を示す図であり、（ｂ）は、当該携帯電話１で実行される処理を示すフローチャートである。
【図１０】変形例２に係る携帯電話１の表示画面の一例を示す図である。
【図１１】（ａ）は、変形例２に係る携帯電話１で実行される処理を示すフローチャートであり、（ｂ）は、表示画面の一例を示す図である。
【図１２】（ａ）は、変形例３に係る携帯電話１が格納するデータテーブルの一例であり、（ｂ）は、当該携帯電話１で実行される処理を示すフローチャートである。
【符号の説明】
【００９０】
１  携帯電話
２  蓋部
３  本体部
６  表示部
８  キー入力部
９  ＴＶチューナー又は地上波デジタルチューナー
１１  アンテナ
１６  アンテナ
１８  受信信号処理部
１９  通信信号処理部
２０  第１制御部
２１  スイッチ
２２  第２制御部
２３  プログラムＲＯＭ
２４  ＲＡＭ
２６  報知ドライバ
２７  スイッチ処理部
２８  番組表記憶部
２９  キッズモード制限メモリ
６１  表示ドライバ
６２  表示バッファ
【図１】
2007180786.tif 000003
【図２】
2007180786.tif 000004
【図３】
2007180786.tif 000005
【図４】
2007180786.tif 000006
【図５】
2007180786.tif 000007
【図６】
2007180786.tif 000008
【図７】
2007180786.tif 000009
【図８】
2007180786.tif 000010
【図９】
2007180786.tif 000011
【図１０】
2007180786.tif 000012
【図１１】
2007180786.tif 000013
【図１２】
2007180786.tif 000014